(57)【要約】【課題】各タブ部の間から得られる出力が不安定となることが低減されるひずみゲージを提供する。【解決手段】ひずみゲージは、長手の抵抗体が配列された受感部２と、半田付け可能な領域のタブ部３ａ,３ｂと、受感部２とタブ部３ａ,３ｂとを接続する導電路部４ａ,４ｂとを有し、タブ部３ａ,３ｂは、導電路部４ａ,４ｂと接続部分よりも抵抗体の長手方向であって受感部２側に、半田付け可能な領域における少なくとも一部を備える。【選択図】図１
2017150931.tif 000002
【特許請求の範囲】
【請求項１】
長手の抵抗体が配列された受感部と、
半田付け可能な領域のタブ部と、
前記受感部と前記タブ部とを接続する導電路部とを有し、
前記タブ部は、前記導電路部との接続部分よりも前記抵抗体の長手方向であって前記受感部の側に、前記半田付け可能な領域における少なくとも一部を備える、
ことを特徴とするひずみゲージ。
【請求項２】
前記受感部は、第１の受感部及び第２の受感部を有し、 
前記タブ部は、第１のタブ部、第２のタブ部及び第３のタブ部を有し、 
前記導電路部は、前記第１の受感部の一端と前記第１のタブ部と接続する第１の導電路部、前記第２の受感部の一端と前記第２のタブ部とを接続する第２の導電路部、及び前記第１の受感部の他端と前記第２の受感部の他端と前記第３のタブ部とを接続する第３の導電路部を有し、
前記第１のタブ部は、前記第１の導電路部との接続部分よりも前記第１の受感部の抵抗体の長手方向であって前記第１の受感部の側に、前記半田付け可能な領域における少なくとも一部を備え、 
前記第２のタブ部は、前記第２の導電路部との接続部分よりも前記第２の受感部の抵抗体の長手方向であって前記第２の受感部の側に、前記半田付け可能な領域における少なくとも一部を備え、 
前記第３のタブ部は、前記第３の導電路部との接続部分よりも前記第１の受感部の抵抗体の長手方向であって前記第１の受感部の側、及び前記第２の受感部の抵抗体の長手方向であって前記第２の受感部の側に、前記半田付け可能な領域における少なくとも一部を備える、 
ことを特徴とする請求項１に記載のひずみゲージ。 
【請求項３】
前記受感部は、第１の受感部、第２の受感部、第３の受感部及び第４の受感部を有し、
前記タブ部は、第１のタブ部、第２のタブ部、第３のタブ部及び第４のタブ部を有し、
前記導電路部は、
前記第１の受感部の一端、前記第３の受感部の一端、及び前記第１のタブ部を接続する第１の導電路部と、
前記第１の受感部の他端、前記第４の受感部の一端、及び前記第２のタブ部を接続する第２の導電路部と、
前記第２の受感部の一端、前記第４の受感部の他端、及び前記第３のタブ部を接続する第３の導電路部と、
前記第２の受感部の他端、前記第３の受感部の他端、及び前記第４のタブ部を接続する第４の導電路部とを有し、
前記第１のタブ部は、前記第１の導電路部との接続部分よりも前記第１の受感部の抵抗体の長手方向であって前記第１の受感部の側に、前記半田付け可能な領域における少なくとも一部を備え、 
前記第２のタブ部は、前記第２の導電路部との接続部分よりも前記第１の受感部の抵抗体の長手方向であって前記第１の受感部の側に、前記半田付け可能な領域における少なくとも一部を備え、 
前記第３のタブ部は、前記第３の導電路部との接続部分よりも前記第２の受感部の抵抗体の長手方向であって前記第２の受感部の側に、前記半田付け可能な領域における少なくとも一部を備え、
前記第４のタブ部は、前記第４の導電路部との接続部分よりも前記第２の受感部の抵抗体の長手方向であって前記第２の受感部の側に、前記半田付け可能な領域における少なくとも一部を備える、
ことを特徴とする請求項１に記載のひずみゲージ。 
【発明の詳細な説明】
【技術分野】
【０００１】
本発明は、ひずみゲージに関する。
【背景技術】
【０００２】
ひずみゲージは、起歪体における起歪部に貼られてロードセルを構成する。このようなひずみゲージは、図９に示すように、樹脂等の絶縁材でなるベース１上に、歪を検出する連続する抵抗体を所望のパターンに形成した受感部２と、外部接続用のタブ部３ａ，３ｂと、タブ部３ａ，３ｂと受感部２との間の電流路となる導電路部４ａ，４ｂとを備える。通常、タブ部３ａ，３ｂには、不図示のリード線が半田５により接続される（特許文献１参照）。
【先行技術文献】
【特許文献】
【０００３】
【特許文献１】特開２００６−３０１６３号公報
【発明の概要】
【発明が解決しようとする課題】
【０００４】
ところで、上述したひずみゲージは、起歪体の撓みが検出できるように、起歪体における起歪部に受感部２が位置するように固着され、ひずみゲージと起歪体とによってロードセルが構成されるのが一般的である。このロードセルにおけるひずみゲージには、起歪体の撓みに応じた応力がかかる。この応力は受感部２に比べて少ないながらもタブ部３ａ，３ｂにも生じる。そして、タブ部３ａ，３ｂの領域の中において、半田５との境界部分では、応力が集中するため、応力を受ける影響が大きくなる。また、タブ部３ａ，３ｂの領域の中において、受感部２の抵抗体の長手方向であって受感部２の側では、起歪体における起歪部に近いため、応力を受ける影響が大きくなる。
したがって、ひずみゲージを起歪体に貼り付けて使用すると、主として、半田５との境界部分から亀裂が生じ始め、受感部２の抵抗体の長手方向と垂直となる方向に亀裂が広がる（図９に示す線６）。そして、タブ部３ａ，３ｂに線６のように発生した亀裂は、一方のリード線と他方のリード線との間の電流路（タブ部３ａ，３ｂと受感部２との間の電流路）を横断するため、断線不良や接触不良となって、一方のリード線と他方のリード線との間で得られる出力が不安定となるといった問題があった。
【０００５】
そこで、本発明は、ひずみゲージにおいて、各タブ部の間から得られる出力が不安定となることを低減することを解決課題の一つとする。
【課題を解決するための手段】
【０００６】
本発明の一態様のひずみゲージは、長手の抵抗体が配列された受感部と、半田付け可能な領域のタブ部と、前記受感部と前記タブ部とを接続する導電路部とを有し、前記タブ部は、前記導電路部との接続部分よりも前記抵抗体の長手方向であって前記受感部の側に、前記半田付け可能な領域における少なくとも一部を備えることを特徴とする。
この態様によれば、タブ部が、導電路部との接続部分よりも抵抗体の長手方向であって受感部の側に、半田付け可能な領域における少なくとも一部を備えているので、タブ部に半田を有する際に生じる亀裂は、各タブ部の間の電流路を横断しない位置となり、断線不良や接触不良によって出力が不安定となることを低減させることができる。
【０００７】
また、上記一形態において、前記受感部は、第１の受感部及び第２の受感部を有し、 
前記タブ部は、第１のタブ部、第２のタブ部及び第３のタブ部を有し、前記導電路部は、前記第１の受感部の一端と前記第１のタブ部と接続する第１の導電路部、前記第２の受感部の一端と前記第２のタブ部とを接続する第２の導電路部、及び前記第１の受感部の他端と前記第２の受感部の他端と前記第３のタブ部とを接続する第３の導電路部を有し、前記第１のタブ部は、前記第１の導電路部との接続部分よりも前記第１の受感部の抵抗体の長手方向であって前記第１の受感部の側に、前記半田付け可能な領域における少なくとも一部を備え、前記第２のタブ部は、前記第２の導電路部との接続部分よりも前記第２の受感部の抵抗体の長手方向であって前記第２の受感部の側に、前記半田付け可能な領域における少なくとも一部を備え、前記第３のタブ部は、前記第３の導電路部との接続部分よりも前記第１の受感部の抵抗体の長手方向であって前記第１の受感部の側、及び前記第２の受感部の抵抗体の長手方向であって前記第２の受感部の側に、前記半田付け可能な領域における少なくとも一部を備える。
この態様によれば、第１のタブ部が、第１の導電路部との接続部分よりも抵抗体の長手方向であって第１の受感部の側に、また、第２のタブ部が、第２の導電路部との接続部分よりも抵抗体の長手方向であって第２の受感部の側に、また、第３のタブ部が、第３の導電路部との接続部分よりも第１の受感部の抵抗体の長手方向であって第１の受感部の側、及び第２の受感部の抵抗体の長手方向であって第２の受感部の側に、半田付け可能な領域における少なくとも一部を備えているので、ハーフブリッジ回路を構成するタイプであっても、タブ部に半田を有する際に生じる亀裂は、各タブ部の間の電流路を横断しない位置となり、断線不良や接触不良によって出力が不安定となることを低減させることができる。
【０００８】
また、上記一形態において、前記受感部は、第１の受感部、第２の受感部、第３の受感部及び第４の受感部を有し、前記タブ部は、第１のタブ部、第２のタブ部、第３のタブ部及び第４のタブ部を有し、前記導電路部は、前記第１の受感部の一端、前記第３の受感部の一端、及び前記第１のタブ部を接続する第１の導電路部と、前記第１の受感部の他端、前記第４の受感部の一端、及び前記第２のタブ部を接続する第２の導電路部と、前記第２の受感部の一端、前記第４の受感部の他端、及び前記第３のタブ部を接続する第３の導電路部と、前記第２の受感部の他端、前記第３の受感部の他端、及び前記第４のタブ部を接続する第４の導電路部とを有し、前記第１のタブ部は、前記第１の導電路部との接続部分よりも前記第１の受感部の抵抗体の長手方向であって前記第１の受感部の側に、前記半田付け可能な領域における少なくとも一部を備え、前記第２のタブ部は、前記第２の導電路部との接続部分よりも前記第１の受感部の抵抗体の長手方向であって前記第１の受感部の側に、前記半田付け可能な領域における少なくとも一部を備え、前記第３のタブ部は、前記第３の導電路部との接続部分よりも前記第２の受感部の抵抗体の長手方向であって前記第２の受感部の側に、前記半田付け可能な領域における少なくとも一部を備え、前記第４のタブ部は、前記第４の導電路部との接続部分よりも前記第２の受感部の抵抗体の長手方向であって前記第２の受感部の側に、前記半田付け可能な領域における少なくとも一部を備えることが好ましい。
この態様によれば、第１のタブ部が、第１の導電路部との接続部分よりも抵抗体の長手方向であって第１の受感部の側に、また、第２のタブ部が、第２の導電路部との接続部分よりも抵抗体の長手方向であって第１の受感部の側に、また、第３のタブ部が、第３の導電路部との接続部分よりも抵抗体の長手方向であって第２の受感部の側に、また、第４のタブ部が、第４の導電路部との接続部分よりも抵抗体の長手方向であって第２の受感部の側に、半田付け可能な領域における少なくとも一部を備えているので、フルブリッジ回路を構成するタイプであっても、タブ部に半田を有する際に生じる亀裂は、各タブ部の間の電流路を横断しない位置となり、断線不良や接触不良によって出力が不安定となることを低減させることができる。
【図面の簡単な説明】
【０００９】
【図１】本発明の第１実施形態に係る１抵抗素子タイプのひずみゲージであって、タブ部を導電路部に内側に形成した一例を示す平面図である。
【図２】同実施形態に係る１抵抗素子タイプのひずみゲージであって、タブ部を導電路部の外側に形成した一例を示す平面図である。
【図３】同実施形態に係る１抵抗素子タイプのひずみゲージであって、タブ部を導電路部に内側に形成した他の例を示す平面図である。
【図４】同実施形態に係る１抵抗素子タイプのひずみゲージであって、タブ部を導電路部に外側に形成した他の例を示す平面図である。
【図５】同実施形態の変形例に係る１抵抗素子タイプのひずみゲージを示す平面図である。
【図６】本発明の第２実施形態に係る２抵抗素子タイプのひずみゲージであって、タブ部を導電路部の内側に形成した一例を示す平面図である。
【図７】同実施形態に係る２抵抗素子タイプのひずみゲージであって、タブ部を導電路部の外側に形成した一例を示す平面図である。
【図８】本発明の第３実施形態に係る４抵抗素子タイプのひずみゲージ示す平面図である。
【図９】従来のひずみゲージを示す平面図である。
【発明を実施するための形態】
【００１０】
以下、本発明に係るひずみゲージの実施形態について図面を参照しつつ、詳細に説明する。
【００１１】
＜第１実施形態＞
図１は、本発明の第１実施形態に係る１抵抗素子（１つの受感部を有する）タイプのひずみゲージの一例を示す平面図であり、図２は、１抵抗素子タイプのひずみゲージの他の例を示す平面図である。
図１及び図２に示すひずみゲージは、ベース１と、受感部２と、タブ部３ａ，３ｂと、受感部２と、受感部２の一端２ｘとタブ部３ａとを接続する導電路部４ａと、受感部２の他端２ｙとタブ部３ｂとを接続する導電路部４ｂとを備える。ひずみゲージは、例えば、ベース１の上に、金属箔を接着しフォトエッチング加工等を施して受感部２、タブ部３ａ，３ｂ、及び導電路部４ａ，４ｂを形成することにより構成される。
以下の説明では、導電路部４ａ，４ｂに対して受感部２と同じ側を内側、導電路部４ａ，４ｂに対して受感部２と反対側を外側と称する。図１は、１抵抗素子タイプであってタブ部３ａ，３ｂが導電路部４ａ，４ｂに対して内側に形成されるひずみゲージの一例である。
また、図２は、１抵抗素子タイプであってタブ部３ａ，３ｂが導電路部４ａ，４ｂに対して外側に形成されるひずみゲージの一例である。
【００１２】
ベース１は絶縁性樹脂等の絶縁材をシート状に形成したものである。受感部２は、矢印Ｘの方向に長手の抵抗体が、矢印Ｙの方向にひと続きとなって配列して形成され、矢印Ｘの方向に生じるひずみを主に受感する。
タブ部３ａ，３ｂは、受感部２から矢印Ｘの方向に離間した箇所に、半田付け可能な領域に形成され、外部に出力を導くためのリード線（不図示）が半田付けされる箇所である。
【００１３】
導電路部４ａは受感部２とタブ部３ａとの間において電気が通る部分であり、導電路部４ｂは受感部２とタブ部３ｂとの間において電気が通る部分である。
導電路部４ａの一端は受感部２の一端２ｘに接続され、一方、その他端はタブ部３ａにおける矢印Ｙの方向の側となる端であって受感部２から離れた側に片寄った位置に接続される。すなわち、タブ部３ａは、導電路部４ａとの接続部分よりも抵抗体の長手方向であって受感部２の側に、半田付け可能な領域における少なくとも一部３ａｚが形成される。
同様に、導電路部４ｂの一端は受感部２の他端２ｙに接続され、一方、その他端はタブ部３ｂにおける矢印Ｙの方向の側となる端であって受感部２から離れた側に片寄った位置に接続される。すなわち、タブ部３ｂは、導電路部４ｂとの接続部分よりも抵抗体の長手方向であって受感部２の側に、半田付け可能な領域における少なくとも一部３ｂｚが形成される。
【００１４】
図１及び図２に示すひずみゲージにおいては、これを不図示の起歪体に固着した状態で起歪体が変形すると、固着された起歪体の表面部分の変形状態（伸び又は縮み）に対応して、受感部２を構成する抵抗体が伸び又は縮みし、電気抵抗が増大又は減少する。受感部２の抵抗値の変化量は起歪体に作用する荷重に比例するので、この抵抗値の変化を、タブ部３ａ，３ｂに接続されるリード線を通して、荷重に比例する電気信号として取り出すことができる。
【００１５】
本実施形態においては、タブ部３ａが、導電路部４ａとの接続部分よりも抵抗体の長手方向であって受感部２の側に、半田付け可能な領域における少なくとも一部３ａｚが形成されている。これにより、タブ部３ａに半田付けされると、領域３ａｚにも半田５が占めることになる。また、タブ部３ｂが、導電路部４ｂとの接続部分よりも抵抗体の長手方向であって受感部２の側に、半田付け可能な領域における少なくとも一部３ｂｚが形成されている。これにより、タブ部３ａに半田付けされると、領域３ｂｚにも半田５が占めることになる。そして、主として、領域３ａｚ，３ｂｚにおける受感部２の側に位置する半田５の境界部分から受感部２の抵抗体の長手方向と垂直となる方向に亀裂が生じる。
しかしながら、この位置に生じた亀裂は、タブ部３ａとタブ部３ｂとの間の電流路を横断しない位置となる。したがって、タブ部３ａとタブ部３ｂとの間の電流路が断線不良や接触不良となって、この間で得られる出力が不安定となることを低減させることができる。
【００１６】
図３に、１抵抗素子タイプであってタブ部３ａ，３ｂが導電路部４ａ，４ｂに対して内側に形成されるひずみゲージの他の例を示し、図４に、１抵抗素子タイプであってタブ部３ａ，３ｂが導電路部４ａ，４ｂに対して外側に形成されるひずみゲージの他の例を示す。図３及び図４に示すひずみゲージは、タブ部３ａ，３ｂの導電路部４ａ，４ｂとの接続部分の幅が、図１及び図２に示すひずみゲージよりも狭くなっている。
図３及び図４に示したひずみゲージにおいても、図１及び図２に示したひずみゲージと同様に、タブ部３ａが、導電路部４ａとの接続部分よりも抵抗体の長手方向であって受感部２の側に、半田付け可能な領域における少なくとも一部３ａｚが形成されている。これにより、タブ部３ａに半田付けされると、領域３ａｚにも半田５が占めることになる。また、タブ部３ｂが、導電路部４ｂとの接続部分よりも抵抗体の長手方向であって受感部２の側に、半田付け可能な領域における少なくとも一部３ｂｚが形成されている。これにより、タブ部３ａに半田付けされると、領域３ｂｚにも半田５が占めることになる。そして、主として、領域３ａｚ，３ｂｚにおける受感部２の側に位置する半田５の境界部分から受感部２の抵抗体の長手方向と垂直となる方向に亀裂が生じる。
しかしながら、この位置に生じた亀裂は、タブ部３ａとタブ部３ｂとの間の電流路を横断しない位置となる。したがって、タブ部３ａとタブ部３ｂとの間の電流路が断線不良や接触不良となって、この間で得られる出力が不安定となることを低減させることができる。
【００１７】
図５に第１実施形態の変形例に係る１抵抗素子タイプのひずみゲージの一例を示す。
この例では、受感部２の両側に接続する導電路部４ｅ，４ｆが、それぞれ２つの分岐導電路部４ｇ，４ｈと４ｉ，４ｊに分岐される。そして、分岐導電路部４ｇ，４ｈによりタブ部３ｉが囲まれる。タブ部３ｉの受感部２の側と反対側の端部の矢印Ｙ方向の両側が、それぞれ分岐導電路部４ｇ，４ｈと接続部分により接続される。同様に、分岐導電路部４ｉ，４ｊによりタブ部３ｊが囲まれ、タブ部３ｊの受感部２の側と反対側の端部の矢印Ｙ方向の両側が、それぞれ分岐導電路部４ｉ，４ｊと接続部分により接続される。この変形例においてもタブ部３ｉは、導電路部４ｅとの接続部分よりも抵抗体の長手方向であって受感部２の側に、半田付け可能な領域における少なくとも一部３ｉｚが形成される。また、タブ部３ｊは、導電路部４ｆとの接続部分よりも抵抗体の長手方向であって受感部２の側に、半田付け可能な領域における少なくとも一部３ｊｚが形成される。
【００１８】
図５に示した第１実施形態の変形例においては、タブ部３ｉが、導電路部４ｅの分岐導電路部４ｇ，４ｈとの接続部分よりも、抵抗体の長手方向であって受感部２の側に、半田付け可能な領域における少なくとも一部３ｉｚが形成されている。これにより、タブ部３ｉに半田付けされると、領域３ｉｚにも半田５が占めることになる。また、タブ部３ｊが、導電路部４ｆの分岐導電路部４ｉ，４ｊとの接続部分よりも、抵抗体の長手方向であって受感部２の側に、半田付け可能な領域における少なくとも一部３ｊｚが形成されている。これにより、タブ部３ｊに半田付けされると、領域３ｊｚにも半田５が占めることになる。そして、主として、領域３ｉｚ，３ｊｚにおける受感部２の側に位置する半田５の境界部分から受感部２の抵抗体の長手方向と垂直となる方向に亀裂が生じる。
しかしながら、この位置に生じた亀裂は、タブ部３ｉとタブ部３ｊとの間の電流路を横断しない位置となる。したがって、タブ部３ｉとタブ部３ｊとの間の電流路が断線不良や接触不良となって、この間で得られる出力が不安定となることを低減させることができる。
【００１９】
＜第２実施形態＞
上述した第1実施形態は、１抵抗素子タイプのひずみゲージに関するものであった。これに対して、第2実施形態に係るひずみゲージは、２抵抗素子（２つの受感部を有する）でハーフブリッジ回路を構成するタイプのひずみゲージに関するものである。図６は本発明の第１実施形態に係る２抵抗素子タイプのひずみゲージの一例を示す平面図であり、図７は、２抵抗素子タイプのひずみゲージの他の例を示す平面図である。
【００２０】
図６及び図７に示すひずみゲージにおいて、受感部は、第１の受感部２ａ及び第２の受感部２ｂを有し、タブ部は、第１のタブ部３ｍ、第２のタブ部３ｎ及び第３のタブ部３ｋを有する。さらに、導電路部は、第１の導電路部４ｍ、第２の導電路部４ｎ、及び第３の導電路部４ｋを有する。図６に示すひずみゲージは、第１のタブ部３ｍ、第２のタブ部３ｎ及び第３のタブ部３ｋは、第１の導電路部４ｍ、第２の導電路部４ｎ、及び第３の導電路部４ｋによって囲まれた領域内に形成される。一方、図７に示すひずみゲージは、第１のタブ部３ｍ、第２のタブ部３ｎ及び第３のタブ部３ｋが、第１の導電路部４ｍ、第２の導電路部４ｎ、及び第３の導電路部４ｋよって囲まれた領域の外側に形成される。
【００２１】
図６及び図７に示すひずみゲージにおいて、第１の導電路部４ｍは第１の受感部２ａの一端２ａｘと第１のタブ部３ｍとを接続する。第２の導電路部４ｎは第２の受感部２ｂの一端２ｂｘと第２のタブ部３ｎとを接続する。くわえて、第３の導電路部４ｋは第１の受感部２ａの他端２ａｙと第２の受感部２ｂの他端２ｂｙと第３のタブ部３ｋとを接続する。
ここで、第１のタブ部３ｍは、第１の導電路部４ｍとの接続部分よりも第１の受感部２ａの抵抗体の長手方向であって第１の受感部２ａの側に、半田付け可能な領域における少なくとも一部３ｍｚを備える。また、第２のタブ部３ｎは、第２の導電路部４ｎとの接続部分よりも第２の受感部２ｂの抵抗体の長手方向であって第２の受感部２ｂの側に、半田付け可能な領域における少なくとも一部３ｎｚを備える。くわえて、第３のタブ部３ｋは、第３の導電路部４ｋとの接続部分よりも第１の受感部２ａの抵抗体の長手方向であって第１の受感部２ａの側、及び第２の受感部２ｂの抵抗体の長手方向であって第２の受感部２ｂの側に、半田付け可能な領域における少なくとも一部３ｋｚを備える。
【００２２】
第２実施形態のひずみゲージは、例えば第１のタブ部３ｍ及び第２のタブ部３ｎが入力電圧を印可するタブ部として用いられ、第３のタブ部３ｋが出力電圧を検出するタブ部として用いられる。そして、第１の受感部２ａ及び第２の受感部２ｂのうちの一方が、荷重が作用した際に起歪体における表面部分の伸びる（又は縮む）箇所に配置され、他方が、荷重が作用した際に起歪体における表面部分の縮む（又は伸びる）箇所に配置されることにより、タブ部３ｍ，３ｎ，３ｋに接続されるリード線を通して、荷重に比例する電気信号として取り出すことができる。なお、このようなひずみゲージを２枚用いることにより、フルブリッジ回路を構成することもできる。
【００２３】
本第２実施形態においては、第１のタブ部３ｍが、第１の導電路部４ｍとの接続部分よりも抵抗体の長手方向であって受感部２ａの側に、半田付け可能な領域における少なくとも一部３ｍｚが形成されている。これにより、第１のタブ部３ｍに半田付けされると、領域３ｍｚにも半田５が占めることになる。また、第２のタブ部３ｎが、第２の導電路部４ｎとの接続部分よりも抵抗体の長手方向であって受感部２ｂの側に、半田付け可能な領域における少なくとも一部３ｎｚが形成されている。これにより、第２のタブ部３ｎに半田付けされると、領域３ｎｚにも半田５が占めることになる。更に、第３のタブ部３ｋが、第３の導電路部４ｋとの接続部分よりも第１の受感部２ａの抵抗体の長手方向であって第１の受感部２ａの側、及び第２の受感部２ｂの抵抗体の長手方向であって第２の受感部２ｂの側に、半田付け可能な領域における少なくとも一部３ｋｚが形成されている。これにより、第３のタブ部３ｋに半田付けされると、領域３ｋｚにも半田５が占めることになる。そして、主として、領域３ｍｚ，３ｋｚにおける受感部２ａの側に位置する半田５の境界部分から受感部２ａの抵抗体の長手方向と垂直となる方向、及び領域３ｎｚ，３ｋｚにおける受感部２ｂの側に位置する半田５の境界部分から受感部２ｂの抵抗体の長手方向と垂直となる方向に亀裂が生じる。
しかしながら、これらの位置に生じた亀裂は、タブ部３ｍとタブ部３ｋとの間，及び３ｎとタブ部３ｋとの間の電流路を横断しない位置となる。したがって、タブ部３ｍとタブ部３ｋとの間，及び３ｎとタブ部３ｋとの間の電流路が断線不良や接触不良となって、これらの間で得られる出力が不安定となることを低減させることができる。
【００２４】
なお、図６及び図７に示したひずみゲージにおいては、第１の受感部２ａ及び第２の受感部２ｂの間に第１のタブ部３ｍ、第２のタブ部３ｎ及び第３のタブ部３ｋを配置したが、これらのタブ部は、第１の受感部２ａ及び第２の受感部２ｂの間配置されなくとも同様に実施可能である。
【００２５】
＜第３実施形態＞
第３実施形態に係るひずみゲージは、４抵抗素子（４つの受感部を有する）でフルブリッジ回路を構成するタイプのひずみゲージに関するものであり、図８にその平面図を示す。
図８に示すひずみゲージにおいて、受感部は、第１の受感部２ｃ、第２の受感部２ｄ、第３の受感部２ｅ及び第４の受感部２ｆを有し、タブ部は、第１のタブ部３ｓ、第２のタブ部３ｔ、第３のタブ部３ｕ及び第４のタブ部３ｖを有する。さらに、導電路部は、第１の導電路部４ｕ、第２の導電路部４ｖ、第３の導電路部４ｗ及び第４の導電路部４ｘを有する。
【００２６】
第１の導電路部４ｕは、第１の受感部２ｃの一端２ｃｘ、第３の受感部２ｅの一端２ｅｘ、及び第１のタブ部３ｓを接続する。第２の導電路部４ｖは、第１の受感部２ｃの他端２ｃｙ、第４の受感部２ｆの一端２ｆｘ、及び第２のタブ部３ｔを接続する。第３の導電路部４ｗは、第２の受感部２ｄの一端２ｄｘ、第４の受感部２ｆの他端２ｆｙ、及び第３のタブ部３ｕを接続する。第４の導電路部４ｘは、第２の受感部２ｄの他端２ｄｙ、第３の受感部２ｅの他端２ｅｙ、及び第４のタブ部３ｖを接続する。  
【００２７】
ここで、第１のタブ部３ｓは、第１の導電路部４ｕとの接続部分よりも第１の受感部２ｃの抵抗体の長手方向であって第１の受感部２ｃの側に、半田付け可能な領域における少なくとも一部３ｓｚを有する。 また、第２のタブ部３ｔは、第２の導電路部４ｖとの接続部分よりも第１の受感部２ｃの抵抗体の長手方向であって第１の受感部２ｃの側に、半田付け可能な領域における少なくとも一部３ｔｚをする。さらに、第３のタブ部３ｕは、第３の導電路部４ｗとの接続部分よりも第２の受感部２ｄの抵抗体の長手方向であって第２の受感部２ｄの側に、半田付け可能な領域における少なくとも一部３ｕｚを有する。くわえて、第４のタブ部３ｖは、第４の導電路部４ｘとの接続部分よりも第２の受感部２ｄの抵抗体の長手方向であって第２の受感部２ｄの側に、半田付け可能な領域３ｖｚにおける少なくとも一部を有する。
【００２８】
第３実施形態のひずみゲージは、例えば第１のタブ部３ｓ及び第３のタブ部３ｕが入力電圧を印可するタブ部として用いられ、第２のタブ部３ｔ及び第４のタブ部３ｖが出力電圧を検出するタブ部として用いられる。そして、第１の受感部２ｃ及び第２の受感部２ｄが起歪体の表面部分の伸びる（又は縮む）箇所に配置され、第３の受感部２ｅ及び第４の受感部２ｆが起歪体の表面部分の縮む（又は伸びる）箇所に配置されることにより、タブ部３ｓ，３ｕ，３ｔ，３ｖに接続されるリード線を通して、荷重に比例する電気信号として取り出すことができる。
【００２９】
本第３実施形態においては、第１のタブ部３ｓが、第１の導電路部４ｕとの接続部分よりも抵抗体の長手方向であって第１の受感部２ｃの側に、半田付け可能な領域における少なくとも一部３ｓｚが形成されている。これにより、第１のタブ部３ｓに半田付けされると、領域３ｓｚにも半田５が占めることになる。また、第２のタブ部３ｔが、第２の導電路部４ｖとの接続部分よりも抵抗体の長手方向であって第１の受感部２ｃの側に、半田付け可能な領域における少なくとも一部３ｔｚが形成されている。これにより、第２のタブ部３ｔに半田付けされると、領域３ｔｚにも半田５が占めることになる。また、第３のタブ部３ｕが、第３の導電路部４ｗとの接続部分よりも抵抗体の長手方向であって第２の受感部２ｄの側に、半田付け可能な領域における少なくとも一部３ｕｚが形成されている。これにより、第３のタブ部３ｕに半田付けされると、領域３ｕｚにも半田５が占めることになる。また、第４のタブ部３ｖが、第４の導電路部４ｘとの接続部分よりも抵抗体の長手方向であって第２の受感部２ｄの側に、半田付け可能な領域における少なくとも一部３ｖｚが形成されている。これにより、第４のタブ部３ｖに半田付けされると、領域３ｖｚにも半田５が占めることになる。
そして、主として、領域３ｓｚ，３ｔｚにおける第１の受感部２ｃの側に位置する半田５の境界部分から第１の受感部２ｃの抵抗体の長手方向と垂直となる方向、及び領域３ｕｚ，３ｖｚにおける第２の受感部２ｄの側に位置する半田５の境界部分から第２の受感部２ｄの抵抗体の長手方向と垂直となる方向に亀裂が生じることになる。
しかしながら、これらの位置に生じた亀裂は、第１のタブ部３ｓと第３のタブ部３ｕとの間、及び第２のタブ部３ｔと第４のタブ部３ｖとの間の電流路を横断しない位置となる。したがって、第１のタブ部３ｓと第３のタブ部３ｕとの間、及び第２のタブ部３ｔと第４のタブ部３ｖとの間の電流路が断線不良や接触不良となって、これらの間で得られる出力が不安定となることを低減させることができる。
【００３０】
なお、図８に示したようにフルブリッジ回路を構成するひずみゲージにおいて、第１の受感部２ｃ、第２の受感部２ｄ、第３の受感部２ｅ及び第４の受感部２ｆを、第１のタブ部３ｓ及び第２のタブ部３ｔと、第３のタブ部３ｕ及び第４のタブ部３ｖとの間に設けてもよい。
以上本発明を実施の形態により説明したが、本発明を実施する場合、具体的な構成については、本発明の要旨を逸脱しない範囲において、種々の変更、付加が可能である。
【符号の説明】
【００３１】
１……ベース、２……受感部、２ａ,２ｃ……第１の受感部、２ｂ,２ｄ……第２の受感部、２ｅ……第３の受感部、２ｆ……第４の受感部、３ａ,３ｂ,３ｉ,３ｊ……タブ部、３ｍ,３ｓ……第１のタブ部、３ｎ,３ｔ……第２のタブ部、３ｋ,３ｕ……第３のタブ部、３ｍ,３ｖ……第４のタブ部、４ａ,４ｂ……導電路部、４ｍ,４ｕ……第１の導電路部、４ｎ,４ｖ……第２の導電路部、４ｋ,４ｗ……第３の導電路部、４ｘ……第４の導電路部、５……半田、６……亀裂が発生の位置を示す線。
【図１】
2017150931.tif 000003
【図２】
2017150931.tif 000004
【図３】
2017150931.tif 000005
【図４】
2017150931.tif 000006
【図５】
2017150931.tif 000007
【図６】
2017150931.tif 000008
【図７】
2017150931.tif 000009
【図８】
2017150931.tif 000010
【図９】
2017150931.tif 000011